【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】    医療用デハイス容器であって、該容器は該容器の実質的にすべての表面にわたり該容器にあたる240〜280nmの範囲の輻射線の30％より多くを透過することができ、該容器は微生物に対して不透過性であり、そして該容器の少なくとも一部が多層材料を備えており、該多層材料の第１層はポリオレフィン、ポリオレフィンコポリマー、シクロオレフィンポリマー（COC）、シクロオレフィンコポリマー、ポリ塩化ビニル（PVC）、ポリ塩化ビニリジン（PVDC）、ポリモノクロロトリフルオロエチレン（PCTFE）、ポリ弗化ビニリジン（PVDF）、ポリフルオロカーボン、ポリウレタン、ポリアミド、ポリイミド、エチレン−ビニルアセテートコポリマー（EVA）、エチレンビニルアルコール（EVOH）、エチレンアクリル酸コポリマー（EAA）、ポリメチルメタクリレート、イオノマー、セルロースエステルおよびセロファンから成る群から選択される材料を含んで成り、そして該多層材料の第２層は、接着剤、二酸化ケイ素、ウレタン、ポリエステル、脂肪族ポリエステルおよびアクリル誘導体から成る群から選択される材料を含んで成る上記医療用デバイス容器。
【手続補正２】
【補正対象書類名】明細書
【補正対象項目名】００７０
【補正方法】変更
【補正の内容】
【００７０】
実施例では、材料の正しい組み合わせを用いてＵＶ照射を透過させることが可能であり、しかもコンタクトレンズ容器として使用するために必要な特性も保持することを示している。好適な態様お予備具体的な実施例の記載は、例えばＵＶ照射を使用して滅菌される医療用デバイスを収容する他の容器の製造に広げることができる。そのような容器は、前述の特許請求の範囲の範囲内にある。本発明の主たる態様乃至特徴は以下のとおりである。
態様１：医療用デハイス容器であって、該容器は該容器の実質的にすべての表面にわたり該容器にあたる240〜280nmの範囲の輻射線の30％より多くを透過することができ、該容器は微生物に対して不透過性であり、そして該容器の少なくとも一部が多層材料を備えており、該多層材料の第１層はポリオレフィン、ポリオレフィンコポリマー、シクロオレフィンポリマー（COC）、シクロオレフィンコポリマー、ポリ塩化ビニル（PVC）、ポリ塩化ビニリジン（PVDC）、ポリモノクロロトリフルオロエチレン（PCTFE）、ポリ弗化ビニリジン（PVDF）、ポリフルオロカーボン、ポリウレタン、ポリアミド、ポリイミド、エチレン−ビニルアセテートコポリマー（EVA）、エチレンビニルアルコール（EVOH）、エチレンアクリル酸コポリマー（EAA）、ポリメチルメタクリレート、イオノマー、セルロースエステルおよびセロファンから成る群から選択される材料を含んで成り、そして該多層材料の第２層は、接着剤、二酸化ケイ素、ウレタン、ポリエステル、脂肪族ポリエステルおよびアクリル誘導体から成る群から選択される材料を含んで成る上記医療用デバイス容器。
態様２：上記多層材料がさらに、ポリオレフィン、ポリオレフィンコポリマー、シクロオレフィンポリマー（COC）、シクロオレフィンコポリマー、ポリ塩化ビニル（PVC）、ポリ塩化ビニリジン（PVDC）、ポリモノクロロトリフルオロエチレン（PCTFE）、ポリ弗化ビニリジン（PVDF）、ポリフルオロカーボン、ポリウレタン、ポリアミド、ポリイミド、エチレン−ビニルアセテートコポリマー（EVA）、エチレンビニルアルコール（EVOH）、エチレンアクリル酸コポリマー（EAA）、ポリメチルメタクリレート、イオノマー、セルロースエステルおよびセロファンから成る群から選択される材料を含んで成る材料の第３層を備えており、態様１に記載の医療用デバイス容器。
態様３：第１層が、ポリオレフィン、ポリオレフィンコポリマー、シクロオレフィンおよびシクロオレフィンコポリマーから成る群から選択される材料を含んで成る、態様２に記載の医療用デバイス容器。
態様４：上記第２層が接着剤層であり、そして該接着剤層が、塩化ビニルコポリマー、塩化ビニル−酢酸ビニルコポリマー、重合性ポリエステル、ビニルピリジンポリマー、ブタジエン−アクリロニトリル−メタクリル酸コポリマー、フェノール樹脂、アクリル酸樹脂、フェノールもしくはアクリレートポリマーを含むアクリル酸樹脂、ウレタン−修飾アクリル誘導体、ポリエステル−コ−ポリアミド、ポリイソブチレン、ポリウレタン、エチレン−アクリル酸混合ポリマーおよびエチレン−酢酸ビニル混合ポリマーから成る群から選択される材料を含んで成る、態様１に記載の医療用デバイス容器。
態様５：上記接着剤が、脂肪族ポリエステルおよび重合性ポリエステルから成る群から選択される材料を含んで成る、態様４に記載の医療用デバイス容器。
態様６：上記容器がさらに、二酸化ケイ素、PCTFE、ポリオレフィンおよびCOCから成る群から選択される材料を含んで成る第４層を含んで成る、態様２に記載の医療用デバイス容器。
態様７：上記容器がさらに、ポリアクリロニトリル、流延ポリプロピレン、二軸延伸ポリプロピレン、PVDCおよびEVOHから成る群から選択される材料を含んで成る第４層を含んで成る、態様２に記載の医療用デバイス容器。
態様８：上記第３層が、ポリオレフィンおよびポリオレフィンコポリマーから成る群から選択される材料を含んで成り、上記第２層が接着剤を含んで成り、そして上記第３層がポリアミドおよびセロファンから成る群から選択される材料を含んで成る、態様２に記載の医療用デバイス容器。
態様９：上記容器が該容器の実質的にすべての表面にわたり該容器にあたる240〜280nmの範囲の輻射線の40％より多くを透過することができる、態様１に記載の医療用デバイス容器。
態様１０：上記第１層が５〜100ミクロンの厚さを有するポリオレフィン層であり、そして上記第２層が１〜10ミクロンの厚さを有する脂肪族ポリエステル接着剤層である、態様２に記載の医療用デバイス容器。
態様１１：さらに、５〜50ミクロンの厚さを有するポリアミド層、10〜100ミクロンの厚さを有する二酸化ケイ素を被覆したポリプロピレン層、10〜100ミクロンの厚さを有するPVDCを被覆したポリプロピレン層、10〜75ミクロンの厚さを有するPVDC層および10〜100ミクロンの厚さを有するPCTFE層から成る群から選択される第３層を含んで成る、態様１０に記載の医療用デバイス容器。
態様１２：さらに、シクロオレフィン、ポリオレフィンおよびPCTFEから成る群からの選択される材料を含んで成る第４層を含んで成る、態様１１に記載の医療用デバイス容器。
態様１３：上記第４層が、２つの接着剤層の間に配置された態様１２に記載の医療用デバイス容器。
態様１４：上記多層材料がさらに、二酸化ケイ素層を含んで成る、態様１３に記載の医療用デバイス容器。
態様１５：上記第１層がポリオレフィン層であり、上記第２層が接着剤層であり、そして上記多層材料がされらに、剛性層、第２接着剤層およびポリアミド層を含んで成り、ここで該剛性層はCPP、流延シクロオレフィン層、二酸化ケイ素を被覆したポリプロピレン、PCTFEおよびPVDCから成る群から選択される材料を含んで成る、態様１に記載の医療用デバイス容器。
態様１６：上記ポリアミド層が二軸延伸されている、態様１５に記載の医療用デバイス容器。
態様１７：上記剛性層が、シクロオレフィン、ポリオレフィンおよびPCTFEから成る群から選択される材料を含んで成り、そして該剛性層が上記接着剤層の間に配置された、態様１５に記載の医療用デバイス容器。
態様１８：上記多層材料が、10％未満の増量剤、潤滑剤、熱安定剤、透明剤、核剤および抗−微生物オキシダント、ＵＶ遮断剤、顔料およびＵＶ安定性を提供するために加えられる増量剤を含む、態様１に記載の医療用デバイス容器。
態様１９：上記容器が芳香族要素、粘着防止剤、ガラス、炭酸カルシウム、スリップ剤、ステアレートおよびゴム粘着防止添加剤を含有する10％未満の成分である態様１に記載の医療用デバイス容器。
態様２０：上記容器が、ベースおよびトップを含んで成るコンタクトレンズ容器であり、そして該トップが上記多層材料を含んで成る、態様１に記載の医療用デバイス容器。
態様２１：上記トップがリッドストックであり、そしてリッドストックが該ベースから剥離できる、態様２０に記載の医療用デバイス容器。
態様２２：上記容器が該容器の実質的にすべての表面にわたり該容器にあたる240〜280nmの範囲の輻射線の40％より多くを透過することができる、態様２０に記載の医療用デバイス容器。